(57)【要約】【課題】本発明は、ある程度の期間冷蔵保管し、かつ、保管中に複数回内容物を取り出し加工を施した上で再び冷蔵保管する必要のある内容物を収納する容器などに好適に使用される、強固な物理的強度を有し、再梱包作業性に優れる箱を形成することかでき、また、使用後の解体が非常に容易で、かつ、廃棄処理や再資源化が容易な組み立て式トレー形状の段ボール製組箱を提供することを目的とする。【解決手段】一枚のブランクシートを折り曲げて、身箱の側壁部および妻壁部に形成される中空構造の壁間隙の内部に、同様、一枚のブランクシートを折り曲げて、筒状に形成された胴枠を挟み込み内蔵する、箱の妻壁部に把手孔および箱の内面側壁部に切り欠き部を有するトレー形状の段ボール製組箱である。【選択図】図１
2006176152.tif 000002
【特許請求の範囲】
【請求項１】
一枚のブランクシートを折り曲げて、身箱の側壁部および妻壁部に形成される中空構造の壁間隙の内部に、同様、一枚のブランクシートを折り曲げて、筒状に形成された胴枠を挟み込み内蔵するトレー形状の段ボール製組箱であって、
前記身箱を構成するブランクシートは、方形底板１に折り曲げ罫線を介して連接する側壁部２，２が方形底板１の対向する位置に配設され、その側壁部２，２は側面４，４、頂面５，５および折り返し片６，６が各々折り曲げ罫線を介して連接してなり、かつ、前記側面４，４および折り返し片６，６の両端に折り曲げ罫線を介して連接する一対の折込片１０，１０および折込片１１，１１有し、一方、前記側壁部２と直角方向に同じく方形底板１に折り曲げ罫線を介して連接する妻壁部３，３が方形底板１の対向する位置に配設され、その妻壁部３、３は妻面７，７、頂面８，８、および折り返し片９，９が各々折り曲げ罫線を介して連接して有する。さらに、前記側壁部２の折り返し片６，６の両端に妻壁部３の折り返し片９，９の両端に設けた一対の固定片１３、１３を固定する一対の固定孔１２，１２を備え、また、妻面７,７には把手孔１６,１６を備え、同じく、折り返し片９、９には前記把手孔１６と同寸または僅かに大きい把手孔１７、１７を備え、また、前記側壁部２，２の一対の折込片１０，１１の各々には組立時に把手孔１６に対応する位置に一対の切り込み１４，１５を備え、さらに、前記妻壁部３，３を構成する折り返し片９，９の両端中央近傍に切り欠き１８，１８を備えた構成からなり、
一方、前記胴枠を構成するブランクシートは、前記身箱を構成する側壁部２の側面４の高さより僅かに低い側壁２０およびその両端に折り曲げ罫線を介して連接された妻壁２１，２１、および、同じく折り曲げ罫線を介して連接される側壁２２，２２を備えた構成からなり、
前記身箱を構成するブランクシートの方形底板１に、筒状に形成された前記胴枠を載置して、側壁部２，２の側面４，４、頂面５，５、折り返し片６，６および一対の折込片１０，１１を折り曲げ罫線に沿って、折り返し片６，６を身箱の内側に折り返すように順次折り曲げ二重折り返し折込み、次に、同様、妻壁部３の妻面７，７、頂面８，８、および折り返し片９，９を折り曲げ罫線に沿って、折り返し片９，９を身箱の内側に折り返すように順次折り曲げ二重折り返してできる側壁部および妻壁部に形成される中空構造の壁間隙の内部に、前記胴枠を挟み込み内蔵し、前記妻壁部３，３に設けた一対の固定片１３，１３を前記側壁部に設けた一対の固定孔１２，１２に固定してできる組箱の妻壁部３，３に把手孔１６，１６（１７，１７）、および、組箱内面に折り返し片９，９の両端中央近傍に設けた切り欠き部１８，１８を有することを特徴とするトレー形状の段ボール製組箱。
【発明の詳細な説明】
【技術分野】
【０００１】
本発明は、一枚のブランクシートを折り曲げて、身箱の側壁部および妻壁部に形成される中空構造の壁間隙の内部に、同様、一枚のブランクシートを折り曲げて、筒状に形成された胴枠を挟み込み内蔵するトレー形状の段ボール製組箱に関する。さらに詳細には、組み立てが容易で、身箱中空構造の壁間隙の内部に胴枠を挟み込んで内蔵した上で組み立てることにより、強固な物理的強度を有し、再梱包作業性に優れる箱を形成することかでき、また、使用後の解体が非常に容易で、かつ、廃棄処理や再資源化が容易な組み立て式トレー形状の段ボール製組箱に関する。
【背景技術】
【０００２】
ある程度の期間冷蔵保管し、かつ、保管中に複数回内容物を取り出し加工を施した上で再び冷蔵保管する必要のある内容物として、例えば、加工わかめなどの冷蔵保存用に現在木箱が使用されているが、環境問題等により使用できなくなってきている。代替品としてフラスチック製コンテナー等が考えられるが、通箱的に複数回使用する場合は、未使用時に屋外保管せざるを得ない状況があり、衛生上の問題や輸送・保管コスト等の問題が生じる。そのため、一度使用するだけの使い切りができるように、出来る限り低コストで、廃棄処理の問題が少ない容器が求められている。
【０００３】
従来、木箱代替として、Ａ式段ボールケースに胴枠を挿入した箱が使用されている例が見られるが、テープやステープル等の封緘材料が必要であり、且つ内容品の取出し時および再梱包時に上部フラップが邪魔になるなどの問題があった。
【発明の開示】
【発明が解決しようとする課題】
【０００４】
本発明は、上記の問題点を解決するためになされたものであって、ある程度の期間冷蔵保管し、かつ、保管中に複数回内容物を取り出し加工を施した上で再び冷蔵保管する必要のある内容物を収納する容器などに好適に使用される、強固な物理的強度を有し、再梱包作業性に優れる箱を形成することかでき、また、使用後の解体が非常に容易で、かつ、廃棄処理や再資源化が容易な組み立て式トレー形状の段ボール製組箱を提供することを目的とする。
【課題を解決するための手段】
【０００５】
上記の目的を達成するために、すなわち、
請求項１に係る発明は、一枚のブランクシートを折り曲げて、身箱の側壁部および妻壁部に形成される中空構造の壁間隙の内部に、同様、一枚のブランクシートを折り曲げて、筒状に形成された胴枠を挟み込み内蔵するトレー形状の段ボール製組箱であって、
前記身箱を構成するブランクシートは、方形底板１に折り曲げ罫線を介して連接する側壁部２，２が方形底板１の対向する位置に配設され、その側壁部２，２は側面４，４、頂面５，５および折り返し片６，６が各々折り曲げ罫線を介して連接してなり、かつ、前記側面４，４および折り返し片６，６の両端に折り曲げ罫線を介して連接する一対の折込片１０，１０および折込片１１，１１有し、一方、前記側壁部２と直角方向に同じく方形底板１に折り曲げ罫線を介して連接する妻壁部３，３が方形底板１の対向する位置に配設され、その妻壁部３、３は妻面７，７、頂面８，８、および折り返し片９，９が各々折り曲げ罫線を介して連接して有する。さらに、前記側壁部２の折り返し片６，６の両端に妻壁部３の折り返し片９，９の両端に設けた一対の固定片１３、１３を固定する一対の固定孔１２，１２を備え、また、妻面７,７には把手孔１６,１６を備え、同じく、折り返し片９、９には前記把手孔１６と同寸または僅かに大きい把手孔１７、１７を備え、また、前記
側壁部２，２の一対の折込片１０，１１の各々には組立時に把手孔１６に対応する位置に一対の切り込み１４，１５を備え、さらに、前記妻壁部３，３を構成する折り返し片９，９の両端中央近傍に切り欠き１８，１８を備えた構成からなる。
【０００６】
一方、前記胴枠を構成するブランクシートは、前記身箱を構成する側壁部２の側面４の高さより僅かに低い側壁２０およびその両端に折り曲げ罫線を介して連接された妻壁２１，２１、および、同じく折り曲げ罫線を介して連接される側壁２２，２２を備えた構成からなる。
【０００７】
前記身箱を構成するブランクシートの方形底板１に、筒状に形成された前記胴枠を載置して、側壁部２，２の側面４，４、頂面５，５、折り返し片６，６および一対の折込片１０，１１を折り曲げ罫線に沿って、折り返し片６，６を身箱の内側に折り返すように順次折り曲げ二重折り返し折込み、次に、同様、妻壁部３の妻面７，７、頂面８，８、および折り返し片９，９を折り曲げ罫線に沿って、折り返し片９，９を身箱の内側に折り返すように順次折り曲げ二重折り返してできる側壁部および妻壁部に形成される中空構造の壁間隙の内部に、前記胴枠を挟み込み内蔵し、前記妻壁部３，３に設けた一対の固定片１３，１３を前記側壁部に設けた一対の固定孔１２，１２に固定してできる組箱の妻壁部３，３に把手孔１６，１６（１７，１７）、および、組箱内面に折り返し片９，９の両端中央近傍に設けた切り欠き部１８，１８を有することを特徴とするトレー形状の段ボール製組箱である。
【発明の効果】
【０００８】
本発明により、一枚のブランクシートを折り曲げ、筒状に形成された胴枠を、同様、一枚のブランクシートを折り曲げ、身箱の側壁部および妻壁部に形成される中空構造の壁間隙内部に挟み込んで内蔵するように組み立てることにより、非常に簡単に組み立てることができ、強固な物理的強度を有し、再梱包作業性に優れる箱を形成することかでき、また、使用後の解体が非常に容易で、かつ、組箱を構成する材料として段ボールを使用しているために廃棄処理や再資源化が容易な、組み立て式トレー形状の段ボール製組箱を提供することができる。
【０００９】
また、本発明の段ボール製組箱は、例えば、加工用わかめなどある程度の期間冷蔵保管し、かつ、保管中に一度内容物を取り出し加工を施した上で再梱包する場合、天面の内容物を収納する開口部分を天面の全面を開口部とした構造であることから、再梱包作業性に優れる。
【００１０】
また、本発明の段ボール製組箱には、組箱を貫通する把手孔を設けた構成であることから、積み降ろし時などの取り扱いが容易であり、また、冷蔵保管時に冷気の流入がスムーズに行われることから効率的な冷蔵保管が可能である。
【００１１】
また、本発明の段ボール製組箱は、多少勘合があまくなり、側壁が外側に多少開いてしまった場合であっても、筒状に形成された胴枠を内蔵することにより側壁の開きを制御することが可能であって、スタッキング性の向上が計られる。
【００１２】
また、本発明の段ボール製組箱は、身箱に胴枠を挟んで内蔵しているために、単に胴枠を挿入した場合に比較して優れた圧縮強度を発現する。
【００１３】
また、本発明の段ボール製組箱は、積重ね時、特に、積み付け状態の違いにより、上部積重箱の落ち込みを防止するために、必要に応じて妻壁部の頂面の寸法を拡巾することが可能な構造であることから、身箱の側壁部および妻壁部に形成される中空構造断面形状を略三角形とすることにより、特に、側壁部の頂面の寸法を拡巾することが可能であって、
上部積重箱の落ち込み防止の効果が大きい。また、単に頂面の寸法を拡巾し、側壁部中空構造断面形状を四角形にした場合と比較して、同外寸で比べると内容物収納部の容積を大きく取ることが可能である。
【発明を実施するための最良の形態】
【００１４】
本発明の一実施例としての段ボール製組箱の実施形態について図面を参照して説明する。図１（ａ）は、本発明の段ボール製組箱のブランクシートの一例を示す展開平面図であり、図１（ｂ）は、本発明における胴枠のブランクシートの一例を示す展開平面図である。図２は、本発明の段ボール製組箱の一例を示す斜視図である。図３は、本発明における胴枠のブランクシートの他の例を示す展開平面図である。図４は、本発明の段ボール製組箱のブランクシートの他の例を示す展開平面図である。
【００１５】
図１（ａ）に示す、一枚のブランクシート１００を折り曲げて、身箱の側壁部および妻壁部に形成される中空構造の壁間隙内部に、同様、例えば、図１（ｂ）に示す、一枚のブランクシート２００を折り曲げて、筒状に形成された胴枠を挟み込み内蔵するトレー形状の段ボール製組箱であって、
本発明の一実施例としての段ボール製組箱のブランクシート１００は、前記身箱を構成するブランクシートは、方形底板１に折り曲げ罫線を介して連接する側壁部２，２が方形底板１の対向する位置に配設され、その側壁部２，２は側面４，４、頂面５，５および折り返し片６，６が各々折り曲げ罫線を介して連接してなり、かつ、前記側面４，４および折り返し片６，６の両端に折り曲げ罫線を介して連接する一対の折込片１０，１０および折込片１１，１１有し、一方、前記側壁部２と直角方向に同じく方形底板１に折り曲げ罫線を介して連接する妻壁部３，３が方形底板１の対向する位置に配設され、その妻壁部３、３は妻面７，７、頂面８，８、および折り返し片９，９が各々折り曲げ罫線を介して連接して有する。さらに、前記側壁部２の折り返し片６，６の両端に妻壁部３の折り返し片９，９の両端に設けた一対の固定片１３、１３を固定する一対の固定孔１２，１２を備え、また、妻面７,７には把手孔１６,１６を備え、同じく、折り返し片９、９には前記把手孔１６と同寸または僅かに大きい把手孔１７、１７を備え、また、前記側壁部２，２の一対の折込片１０，１１の各々には組立時に把手孔１６に対応する位置に一対の切り込み１４，１５を備え、さらに、前記妻壁部３，３を構成する折り返し片９，９の両端中央近傍に切り欠き１８，１８を備えた構成からなる。
【００１６】
また、図１（ｂ）には、本発明における一実施例として胴枠のブランクシートを示したもので、このブランクシート２００は、身箱を構成する前記側壁部２の側面４の高さより僅かに低い側壁２０およびその両端に折り曲げ罫線を介して連接された妻壁２１，２１、および、同じく折り曲げ罫線を介して連接される側壁２２，２２からなる構成からなり、側壁２２の中央近傍で接合して、筒状とするものである。その側壁２２の接合部２４の片端上下部にテーパ部を設けてあるが、もちろん、接合部は両端に設けることもできる。テーパ部を設けることにより多少の貼りズレがあったとしてもスムーズに内蔵可能となるものである。
【００１７】
また、図３には、本発明における他の例として胴枠のブランクシートを示したものである。このブランクシート３００は、身箱を構成する前記側壁部２の側面４の高さより僅かに低い側壁２５およびその両端に折り曲げ罫線を介して連接された妻壁２６，２６、および、同じく折り曲げ罫線を介して連接される側壁２７からなる構成からなり、その妻壁２６の片端に接合部２９を設けてある。そして、側壁２７の端部で接合して筒状とするものである。
【００１８】
本発明のトレー形状の段ボール製組箱は、以下のようにして組み立てられる。すなわち、上記の身箱を構成するブランクシート１００および胴枠を構成するブランクシート１０
０を用いて、前記身箱を構成するブランクシートの方形底板１に、筒状に形成された前記胴枠を載置して、側壁部２，２の側面４，４、頂面５，５、折り返し片６，６および一対の折込片１０，１１を折り曲げ罫線に沿って、折り返し片６，６を身箱の内側に折り返すように順次折り曲げ二重折り返し折込み、次に、同様、妻壁部３の妻面７，７、頂面８，８、および折り返し片９，９を折り曲げ罫線に沿って、折り返し片９，９を身箱の内側に折り返すように順次折り曲げ二重折り返してできる側壁部および妻壁部に形成される中空構造の壁間隙の内部に、前記胴枠を挟み込み内蔵し、前記妻壁部３，３に設けた一対の固定片１３，１３を前記側壁部に設けた一対の固定孔１２，１２に固定してできる組箱の妻壁部３，３に把手孔１６，１６（１７，１７）、および、組箱内面に折り返し片９，９の両端中央近傍に設けた切り欠き部１８，１８を有するトレー形状の段ボール製組箱が得られる。
【００１９】
図２に、上記で得られた一実施例としてのトレー形状の段ボール製組箱の斜視図を示したもので、本発明の段ボール製組箱は、一枚のブランクシートを折り曲げ、筒状に形成された胴枠を、同様、一枚のブランクシートを折り曲げ、身箱の側壁部および妻壁部に形成される中空構造の壁間隙内部に挟み込んで内蔵するように組み立てることにより、非常に簡単に組み立てることができ、また非常に強固なトレー形状の箱を形成することができる。さらに、使用後の解体も非常に容易にでき、組箱を構成する材料として段ボールを使用しているために廃棄、再資源化が容易な組み立て式段ボール製組箱３００である。
【００２０】
そして、本発明の段ボール製組箱は、例えば、加工用わかめなどある程度の期間冷蔵保管し、かつ、保管中に一度内容物を取り出し加工を施した上で再梱包する場合、天面の内容物を収納する開口部分を天面の全面を開口部とした構造であることから、再梱包作業性に優れ、組箱を貫通する把手孔を設けた構成であることから、積み降ろし時などの取り扱いが容易であり、また、冷蔵保管時に冷気の流入がスムーズに行われることから効率的な冷蔵保管が可能である。また、多少勘合があまくなり、側壁が外側に多少開いてしまった場合であっても、筒状に形成された胴枠を内蔵することにより側壁部の頂面の寸法を制御することが可能であって、スタッキング性の向上が計られる。また、本発明の段ボール製組箱は、身箱に胴枠を挟んで内蔵しているために、単に胴枠を挿入した場合に比較して優れた圧縮強度を発現する。さらに、組箱の内面に折り曲げられた妻壁部端部の中央近傍に指を掛けることが可能な切り欠け部を有することから、解体が容易である。
【００２１】
本発明の段ボール製組箱は、加工用わかめなどの、ある程度の期間冷蔵保管し、かつ、保管中に複数回内容物を取り出し加工を施した上で再び冷蔵保管する必要のある内容物容器として好適に使用される。
【００２２】
さらに、本発明の段ボール製組箱は、交互積み付けで積み重ねた場合に、特に、積み付け状態の違いにより、上部積重箱の落ち込みを防止するために、必要に応じて妻壁部の頂面の寸法を拡巾することが可能な構造であることから、身箱側壁部に形成される中空構造断面形状を略三角形とすることにより側壁部の頂面の寸法を拡巾することが可能っであってその効果が大きい。単に、頂面の寸法を拡巾し、側壁部中空構造断面形状を四角形にした場合に比較して、同外寸で比べると内容物収納部の容積を大きく取ることが可能である。
【００２３】
次に、本発明の段ボール製組箱の他の例として、図４に、その段ボール製組箱のブランクシート５００を示す。側壁部の頂面の巾が相対的に小さく箱が内側に落ち込むという問題を解消するために、側壁部の頂面の巾を大きくした場合の例を示したものである。
【００２４】
図４に示すように、本発明における身箱を構成するブランクシート５００は、方形底板１に折り曲げ罫線を介して連接する側壁部２，２が方形底板１の対向する位置に配設され
、その側壁部２，２は側面４，４、頂面５，５および折り返し片６，６が各々折り曲げ罫線を介して連接してなり、かつ、前記側面４，４および折り返し片６，６の両端に折り曲げ罫線を介して連接する一対の折込片１０，１０および折込片１１，１１有し、その折込片１１，１１は側面４と頂面５の間の角度を９０度とする直角三角形の一辺を形成可能な寸法と、側面４，４、頂面５，５および折り返し片６，６が形成する三角形の角度に対応した傾きを持つ。一方、前記側壁部２と直角方向に同じく方形底板１に折り曲げ罫線を介して連接する妻壁部３，３が方形底板１の対向する位置に配設され、その妻壁部３、３は妻面７，７、頂面８，８、および折り返し片９，９が各々折り曲げ罫線を介して連接して有する。さらに、前記側壁部２の折り返し片６，６の両端に妻壁部３の折り返し片９，９の両端に設けた一対の固定片１３、１３を固定する一対の固定孔１２，１２を備え、また、妻面７,７には把手孔１６,１６を備え、同じく、折り返し片９、９には前記把手孔１６と同寸または僅かに大きい把手孔１７、１７を備え、また、前記側壁部２，２の一対の折込片１０，１１の各々には組立時に把手孔１６に対応する位置に一対の切り込み１４，１５を備え、さらに、前記妻壁部３，３を構成する折り返し片９，９の両端中央近傍に切り欠き１８，１８を備えた構成からなる。
【００２５】
上記の身箱を構成するブランクシート５００に対して、胴枠を構成するブランクシートとして、例えば、前述したブランクシート２００を用いて、同様にして組立てることができる。すなわち、上記身箱を構成するブランクシート５００の方形底板１に、ブランクシート２００を折り曲げ、筒状に形成された胴枠を載置して、側壁部２，２の側面４，４、頂面５，５、折り返し片６，６および一対の折込片１０，１１を折り曲げ罫線に沿って、折り返し片６，６を身箱の内側に折り返すように順次折り曲げ二重折り返し折込み、次に、同様、妻壁部３の妻面７，７、頂面８，８、および折り返し片９，９を折り曲げ罫線に沿って、折り返し片９，９を身箱の内側に折り返すように順次折り曲げ二重折り返してできる側壁部および妻壁部に形成される中空構造断面形状が略三角形の壁間隙の内部に、上記胴枠を挟み込み内蔵し、上記妻壁部３，３に設けた一対の固定片１３，１３を上記側壁部に設けた一対の固定孔１２，１２に固定してできる組箱の妻壁部３，３に把手孔１６，１６（１７，１７）、および、組箱内面に折り返し片９，９の両端中央近傍に設けた切り欠き部１８，１８を有することを特徴とするトレー形状の段ボール製組箱。
【００２６】
上記で得られるトレー形状の段ボール製組箱は、交互積み付けで積み重ねた場合に、特に、積み付け状態の違いにより、上部積重箱の落ち込みを防止するために、必要に応じて妻壁部の頂面の寸法を拡巾することが可能な構造であることから、身箱側壁部に形成される中空構造断面形状を略三角形とすることにより側壁部の頂面の寸法を拡巾することが可能っであって、その上部積重箱の落ち込み防止の効果が大きい。また、単に頂面の寸法を拡巾し、側壁部中空構造断面形状を四角形にした場合と比較して、同外寸で比べると内容物収納部の容積を大きく取ることが可能である。
【図面の簡単な説明】
【００２７】
【図１】図１（ａ）は、本発明の段ボール製組箱のブランクシートの一例を示す展開平面図であり、図１（ｂ）は、本発明における胴枠のブランクシートの一例を示す展開平面図でる。
【図２】本発明の段ボール製組箱の一例を示す斜視図である。
【図３】本発明における胴枠のブランクシートの他の例を示す展開平面図でる。
【図４】本発明の段ボール製組箱のブランクシートの他の例を示す展開平面図である。
【符号の説明】
【００２８】
１・・・底板
２・・・側壁部
３・・・妻壁部
４・・・側面
５・・・頂面
６、９・・・折り返し片
７・・・妻面
８・・・頂面
１０、１１・・・折込片
１２・・・固定孔
１３・・・固定片
１４、１５、１８・・・切り欠き
１５・・・切り欠き
１６、１７・・・把手孔
１９・・・補助罫線
２０、２２、２５、２７・・・側壁
２１、２６・・・妻壁
２３、２８・・・把手孔
２４、２９・・・接合部
１００、５００・・・段ボール製組箱を構成する身箱ブランクシート
２００、４００・・・段ボール製組箱を構成する胴枠ブランクシート
３００・・・トレー形状の段ボール製組箱
【図１】
2006176152.tif 000003
【図２】
2006176152.tif 000004
【図３】
2006176152.tif 000005
【図４】
2006176152.tif 000006